(57)【要約】【課題】カバー部によって投写光学系を保護しつつ、カバー部の光の入射面での反射による損失を低減して画像の輝度の低下を抑えることのできるプロジェクタを提供すること。【解決手段】プロジェクタ１は、スクリーン１０に向けて投写光を投写する投写部と、投写部を内部に備えるとともに、投写光を外部に射出させるための開口部２ａが形成された筐体２と、開口部に設けられ投写光を透過するカバー部４と、を備え、カバー部は、略一定の厚みで形成されるとともに、中央部４ａと、該中央部に隣接された周辺部４ｂと、を有し、周辺部は、カバー部の入射面における投写光の反射率を低下させるために、投写光の入射側に屈曲している。【選択図】図１
2010152264.tif 000002
【特許請求の範囲】
【請求項１】
被照射面に向けて投写光を投写する投写部と、
前記投写部を内部に備え、前記投写光を外部に射出させるための開口部が形成された筐
体と、
前記開口部に設けられ前記投写光を透過させるカバー部と、を備え、
前記カバー部は、略一定の厚みで形成されるとともに、中央部と、該中央部に隣接され
た周辺部と、を有し、
前記周辺部は、前記カバー部の入射面における前記投写光の反射率を低下させるために
、前記投写光の入射側に屈曲していることを特徴とするプロジェクタ。
【請求項２】
前記中央部は、平面により構成されていることを特徴とする請求項１に記載のプロジェ
クタ。
【請求項３】
前記周辺部は、平面により構成されていることを特徴とする請求項２に記載のプロジェ
クタ。
【請求項４】
前記中央部は、平面視において略矩形形状を呈しており、
前記周辺部は、前記中央部の対向する１組の辺に対してのみ隣接されていることを特徴
とする請求項３に記載のプロジェクタ。
【請求項５】
前記中央部は、前記筐体の外周面のうちの所定の一平面と略平行であることを特徴とす
る請求項２から請求項４のうちいずれか１項に記載のプロジェクタ。
【請求項６】
前記周辺部は、前記筐体の外周面のうちの所定の一平面と略平行であることを特徴とす
る請求項３から請求項５のうちいずれか１項に記載のプロジェクタ。
【請求項７】
前記投写部は、光を広角化させる広角化反射部を有することを特徴とする請求項１から
請求項６のうちいずれか１項に記載のプロジェクタ。
【請求項８】
前記カバー部は、前記中央部における前記投写光の出射面が前記被照射面に向くように
傾けられていることを特徴とする請求項１から請求項７のうちいずれか１項に記載のプロ
ジェクタ。
【請求項９】
前記周辺部は、前記中央部に対して略直角に屈曲していることを特徴とする請求項７ま
たは８に記載のプロジェクタ。
【発明の詳細な説明】
【技術分野】
【０００１】
本発明は、プロジェクタ、特に、投写部を保護するカバー部を備えるプロジェクタの技
術に関する。
【背景技術】
【０００２】
スクリーンに光を投写して画像を表示させるプロジェクタは、光を投写するための投写
光学系を筐体内に備える。投写光学系は、埃や汚れの影響により大きく性能が劣化する場
合がある。そこで、投写光学系を埃や汚れから保護するために光を透過可能なカバー部を
筐体に設ける構成が提案されている（例えば、特許文献１、２、３、４を参照。）。
【０００３】
【特許文献１】特開２００４−１２７４９号公報
【特許文献２】特表２００８−５２２２２９号公報
【特許文献３】特開２００８−１０７８０１号公報
【特許文献４】特開２００８−１６５２０２号公報
【発明の開示】
【発明が解決しようとする課題】
【０００４】
投写光学系から投写された光の多くは、カバー部を透過してスクリーンに投写されるが
、一部の光はカバー部で反射する。カバー部に入射する光のうち反射する光の割合、すな
わち反射率は、カバー部への光の入射角度によって異なり、入射角度が大きくなるほど反
射率が高くなる。投写光学系から投写された光は、カバー部に対して様々な角度で入射す
る場合がある。従来の技術によるカバー部は入射面全体が同一の平面で構成されているた
め、例えば、投写光学系から射出される光が放射状の光である場合には、カバー部の周辺
部において光の入射角度が大きくなる場合がある。この場合、カバー部の周辺部で反射率
が高くなり、カバー部を透過してスクリーンに投写される光が少なくなってしまう。これ
により、スクリーンに表示される画像の輝度が低下するという問題が生じる。
【０００５】
また、広角化された光を投写することで、スクリーンに近い位置から光を投写すること
が可能な、いわゆる近接投写型のプロジェクタがある。近接投写型のプロジェクタでは、
光が広角化されていることによりカバー部への入射角度の幅が広くなり、カバー部の周辺
部で入射角度が大きくなる。このため、特に近接投写型のプロジェクタでは、カバー部へ
の光の入射角度に起因した画像の輝度の低下が顕著に発生するという問題が生じる。
【０００６】
入射面での反射を抑えるために反射防止膜（ＡＲコート）を施すことも考えられるが、
幅広い入射角度に対して反射防止機能を発揮させるためには、非常に多層のコーティング
膜が必要となり、高コストなものとなってしまう。
【０００７】
本発明は、上述の問題に鑑みてなされたものであり、カバー部によって投写光学系を保
護しつつ、コストを抑えながら、カバー部の光の入射面での反射による損失を低減して画
像の輝度の低下を抑えることのできるプロジェクタを提供することを目的とする。
【課題を解決するための手段】
【０００８】
上述した課題を解決し、目的を達成するために、本発明に係るプロジェクタは、被照射
面に向けて投写光を投写する投写部と、投写部を内部に備え、投写光を外部に射出させる
ための開口部が形成された筐体と、開口部に設けられ投写光を透過するカバー部と、を備
え、カバー部は、略一定の厚みで形成されるとともに、中央部と、該中央部に隣接された
周辺部と、を有し、周辺部は、カバー部の入射面における投写光の反射率を低下させるた
めに、投写光の入射側に屈曲している。
【０００９】
周辺部が投写光の入射側に屈曲しているので、例えば、投写光が放射状の光であれば、
入射面全体が同一の平面で構成されたカバー部に比べて、周辺部における投写光の入射角
度を小さくできる。入射角度が小さくなれば、周辺部に入射する投写光の反射率を低下さ
せて、カバー部の入射面での反射による損失を低減できる。したがって、カバー部によっ
て埃や汚れから投写部を保護しつつ、例えば、被照射面であるスクリーンに表示される画
像の輝度低下を抑えることができる。カバー部は、略一定の厚みとすることで、レンズと
しての機能を持たせない構成とする。レンズとしての機能を持たせないことで、カバー部
の取付位置に多少の誤差があっても、表示される画像の画質への影響を抑えることができ
る。したがって、組み立てコストの低減を図ることができ、さらに、カバー部の交換も容
易になるのでプロジェクタのメンテナンス性も向上させることができる。なお、入射角度
とは、投写光の入射位置における入射面の法線と、その投写光の光線とがなす角度をいう
。
【００１０】
また、本発明の好ましい態様としては、中央部は、平面により構成されていることが望
ましい。中央部が平面により構成されているので、曲面に加工する場合に比べて、製造コ
ストを抑えることができる。また、プロジェクタにおいては、カバー部の中央部には小さ
な入射角度で投写光が入射してくる場合が多いので、中央部が平面により構成されていて
も画像の輝度低下といった問題が生じにくい。
【００１１】
また、本発明の好ましい態様としては、周辺部は、平面により構成されていることが望
ましい。平面により構成された周辺部についても曲面に加工する必要がなくなり、さらに
製造コストを抑えることができる。周辺部と中央部の境界部分を曲げることで、周辺部と
中央部の両方を平面としつつ屈曲したカバー部を構成することができる。なお、周辺部が
平面であっても、境界部分を曲げることで、周辺部への投写光の入射角度を、観察者が光
量の低下を感じない程度の反射率の範囲とすることができ、画像の輝度低下を抑えること
ができる。
【００１２】
また、本発明の好ましい態様としては、中央部は、平面視において略矩形形状を呈して
おり、周辺部は、中央部の対向する１組の辺に対してのみ隣接されていることが望ましい
。周辺部が、中央部の対向する１組の辺に対してのみ隣接されているので、全体が平面で
ある平板の両側を折り曲げ加工するだけでカバー部を製造することができ、製造コストの
抑制を図ることができる。
【００１３】
また、本発明の好ましい態様としては、中央部は、筐体の外周面のうちの所定の一平面
と略平行であることが望ましい。中央部が、筐体の外周面のうちの所定の一平面と略平行
であるので、例えば、ドーム型のカバー部を設ける場合に比べて、プロジェクタのデザイ
ンの制限をなくし、デザインの自由度を高めることができる。また、中央部と筐体の外周
面とをフルフラットとすれば、デザインの自由度を高めるばかりでなく、筐体とカバー部
との一体成形も可能となり、組み立て工数の削減、部品点数の削減によりコストの抑制に
寄与することができる。筐体とカバー部とを一体成形する場合には、全体を透明部材で構
成し、カバー部以外に塗装を施せば、カバー部部分に透光性を持たせることができる。
【００１４】
また、本発明の好ましい態様としては、周辺部は、筐体の外周面のうちの所定の一平面
と略平行であることが望ましい。周辺部が、筐体の外周面のうちの所定の一平面と略平行
であるので、例えば、ドーム型のカバー部を設ける場合に比べて、プロジェクタのデザイ
ンの制限をなくし、デザインの自由度を高めることができる。また、周辺部と筐体の外周
面とをフルフラットとすれば、デザインの自由度を高めるばかりでなく、筐体とカバー部
との一体成形も可能となり、組み立て工数の削減、部品点数の削減によりコスト低下に寄
与することができる。筐体とカバー部とを一体成形する場合には、全体を透明部材で構成
し、カバー部以外に塗装を施せば、カバー部部分に透光性を持たせることができる。
【００１５】
また、本発明の好ましい態様としては、投写部は、光を広角化させる広角化反射部を有
することが望ましい。広角化反射部を有するプロジェクタ、すなわち、近接投写型のプロ
ジェクタでは、従来のカバー部と組み合わせることで、カバー部入射面における反射によ
り画像の輝度低下が顕著となる。本件のカバー部は、周辺部が屈曲しているので、投写光
の入射角度を小さくし、入射面における投写光の反射率を低下させて、画像の輝度低下を
抑えることができる。
【００１６】
また、本発明の好ましい態様としては、カバー部は、中央部における投写光の出射面が
被照射面に向くように傾けられていることが望ましい。近接型のプロジェクタでは、スク
リーンの下方にプロジェクタが設置されるため、筐体の天面部からスクリーンに向けてや
や傾いて投写光が射出される。この投写光の傾きによってカバー部の入射面への入射角度
が増大する。ここで、本件のカバー部は、投写光の出射面がスクリーンに向くように傾け
られているので、投写光の傾きによるカバー部の入射面に対する入射角度の増大をカバー
部の傾きによって解消することができる。これにより、カバー部を傾けるという簡単な構
成で画像の輝度低下を抑えることができる。
【００１７】
また、本発明の好ましい態様としては、周辺部は、中央部に対して略直角に屈曲してい
ることが望ましい。周辺部が、中央部に対して略直角に屈曲しているので、平面視におい
て中央部の周囲に張り出しの少ないコンパクトなカバー部とすることができる。これによ
り、プロジェクタのコンパクト化にも寄与することができる。特に近接投写型のプロジェ
クタでは、投写光が広角化されているため、全体が平面であるカバー部を用いる場合には
、全ての投写光を透過させるために幅広の大型なカバー部を用意する必要がある。本件で
は、周辺部が、中央部に対して略直角に屈曲することで、全ての投写光を透過させつつカ
バー部のコンパクト化を図ることができる。
【発明を実施するための最良の形態】
【００１８】
以下に図面を参照して、本発明の実施例を詳細に説明する。
【実施例１】
【００１９】
図１は、本発明の実施例１に係るプロジェクタの使用状態を示す斜視図である。図２は
、プロジェクタ内部の概略構成を示す横断面図である。プロジェクタ１はスクリーンに投
写光を投写して画像を表示させるフロント投写型のプロジェクタである。観察者はスクリ
ーンに表示された画像を観察する。プロジェクタ１は、広角化された投写光をスクリーン
１０に近い位置から投写して画像を表示させる近接投写型のプロジェクタである。
【００２０】
スクリーン１０は、反射型投影板であり、表側のスクリーン投写面（被照射面）１０ａ
に入射した入射光を拡散反射することにより画像を表示する。なお、スクリーン投写面１
０ａの法線に沿う軸をＺ軸とする。Ｚ軸と直交し互いに垂直に交わる軸をＸ軸及びＹ軸と
する。
【００２１】
プロジェクタ１は、筐体２、防塵カバー（カバー部）４、投写部６を有して大略構成さ
れる。投写部６は、筐体２の内部に備えられる。これらの構成要素のうち、まず投写部６
について説明する。投写部６は、投写光学系５０と像形成光学部６０を有して構成される
。
【００２２】
投写光学系５０は、物面ＯＳ上の画像をスクリーン１０のスクリーン投写面１０ａ上に
拡大投写するためのものである。投写光学系５０は、屈折光学部２０と、反射光学部（広
角化反射部）３０とを有して構成される。屈折光学部２０は、複数のレンズで構成され、
反射光学部３０は、少なくとも１面の凹面形状の反射面を有している。
【００２３】
図３は、投写光学系５０の概略構成を説明する図である。屈折光学部２０は、図２のス
クリーン１０の下方においてスクリーン投写面１０ａに対して垂直に延びる光軸ＯＡに沿
って配置された複数の屈折レンズで構成される。各レンズは、物面ＯＳ側から反射光学部
３０に向かって配列されている。各レンズは、光軸ＯＡに対し回転対称になっている。な
お、各レンズの全部または一部が非回転対称になっていても構わない。各レンズの配置は
、反射光学部３０等の形状や配置との関係でスクリーン１０に最適な投写ができるように
調整されている。なお、光軸ＯＡは、スクリーン投写面１０ａに対して垂直に延びる場合
に限られない。また、各レンズの一部、またはすべての光軸が同一でなくても構わない。
【００２４】
物面ＯＳ上の各物点からは、物面ＯＳに垂直で光軸ＯＡに平行な主光線を中心として一
定の広がりを有する光束が射出する。物面ＯＳから射出した光束は、屈折光学部２０を通
過した後、光軸ＯＡよりも下側に設けられている反射光学部３０で反射され、放射状の投
写光としてスクリーン１０に投写される。
【００２５】
反射光学部３０は、１枚の曲面ミラー３１で構成される。この曲面ミラー３１は、光軸
ＯＡを軸とする回転対称面で構成される凹面反射ミラーである。曲面ミラー３１は、光軸
ＯＡの下側すなわち光軸ＯＡを挟んでスクリーン１０の反対側に非球面の反射光学面３１
ａを有し、屈折光学部２０を通過した光束をスクリーン１０のスクリーン投写面１０ａに
向けて反射させる。屈折光学部２０を通過して光束は、凹面反射ミラーである曲面ミラー
３１によって、一旦収束してその後拡散するように反射される。すなわち、曲面ミラー３
１は、投写光を広角化させる機能を発揮する。このように、投写光学系５０は、屈折光学
部２０と、反射光学部３０とで構成されるが、屈折光学部のみや、パワーを有する反射光
学部のみで構成されても構わない。
【００２６】
次に、像形成光学部６０について説明する。図４は、像形成光学部６０の概略構成を示
す図である。発光管７０は、赤色（Ｒ）光、緑色（Ｇ）光、青色（Ｂ）光を含む光を射出
する光源部であり、例えば、超高圧水銀ランプである。
【００２７】
第１インテグレータレンズ７１及び第２インテグレータレンズ７２は、アレイ状に配列
された複数のレンズ素子を有する。第１インテグレータレンズ７１は、発光管７０からの
光束を複数に分割する。第１インテグレータレンズ７１の各レンズ素子は、発光管７０か
らの光束を第２インテグレータレンズ７２のレンズ素子近傍にて集光させる。第２インテ
グレータレンズ７２のレンズ素子は、第１インテグレータレンズ７１のレンズ素子の像を
空間光変調装置上に形成する。
【００２８】
２つのインテグレータレンズ７１、７２を経た光は、偏光変換素子７３にて特定の振動
方向の直線偏光に変換される。重畳レンズ７４は、第１インテグレータレンズ７１の各レ
ンズ素子の像を空間光変調装置上で重畳させる。第１インテグレータレンズ７１、第２イ
ンテグレータレンズ７２及び重畳レンズ７４は、発光管７０からの光の強度分布を空間光
変調装置上にて均一化させる。重畳レンズ７４からの光は、第１ダイクロイックミラー７
５に入射する。第１ダイクロイックミラー７５は、Ｒ光を反射し、Ｇ光及びＢ光を透過さ
せる。第１ダイクロイックミラー７５で反射したＲ光は、第１ダイクロイックミラー７５
、反射ミラー７６でそれぞれ光路が折り曲げられ、Ｒ光用フィールドレンズ７７Ｒへ入射
する。Ｒ光用フィールドレンズ７７Ｒは、反射ミラー７６からのＲ光を平行化し、Ｒ光用
空間光変調装置１４Ｒへ入射させる。
【００２９】
Ｒ光用空間光変調装置１４Ｒは、Ｒ光を画像信号に応じて変調する空間光変調装置であ
る。Ｒ光用空間光変調装置１４Ｒで変調されたＲ光は、色合成光学系であるクロスダイク
ロイックプリズム８０へ入射する。
【００３０】
第１ダイクロイックミラー７５を透過したＧ光及びＢ光は、第２ダイクロイックミラー
８１へ入射する。第２ダイクロイックミラー８１は、Ｇ光を反射し、Ｂ光を透過させる。
第２ダイクロイックミラー８１で反射したＧ光は、第２ダイクロイックミラー８１で光路
が折り曲げられ、Ｇ光用フィールドレンズ７７Ｇへ入射する。Ｇ光用フィールドレンズ７
７Ｇは、第２ダイクロイックミラー８１からのＧ光を平行化し、Ｇ光用空間光変調装置１
４Ｇへ入射させる。Ｇ光用空間光変調装置１４Ｇは、Ｇ光を画像信号に応じて変調する空
間光変調装置である。Ｇ光用空間光変調装置１４Ｇで変調されたＧ光は、クロスダイクロ
イックプリズム８０のうちＲ光が入射した面とは異なる面へ入射する。
【００３１】
第２ダイクロイックミラー８１を透過したＢ光は、リレーレンズ８２を透過した後、反
射ミラー８３での反射により光路が折り曲げられる。反射ミラー８３からのＢ光は、さら
にリレーレンズ８４を透過した後、反射ミラー８５での反射により光路が折り曲げられ、
Ｂ光用フィールドレンズ７７Ｂへ入射する。Ｒ光の光路及びＧ光の光路よりもＢ光の光路
が長いことから、空間光変調装置における照明倍率を他の色光と等しくするために、Ｂ光
の光路には、リレーレンズ８２、８４を用いるリレー光学系が採用されている。
【００３２】
Ｂ光用フィールドレンズ７７Ｂは、反射ミラー８５からのＢ光を平行化し、Ｂ光用空間
光変調装置１４Ｂへ入射させる。Ｂ光用空間光変調装置１４Ｂは、Ｂ光を画像信号に応じ
て変調する空間光変調装置である。Ｂ光用空間光変調装置１４Ｂで変調されたＢ光は、ク
ロスダイクロイックプリズム８０のうちＲ光が入射する面、Ｇ光が入射する面とは異なる
面へ入射する。
【００３３】
クロスダイクロイックプリズム８０は、互いに略直交するように配置された２つのダイ
クロイック膜８６、８７を有する。第１ダイクロイック膜８６は、Ｒ光を反射し、Ｇ光及
びＢ光を透過させる。第２ダイクロイック膜８７は、Ｂ光を反射し、Ｒ光及びＧ光を透過
させる。クロスダイクロイックプリズム８０は、それぞれ異なる方向から入射したＲ光、
Ｇ光及びＢ光を合成し、投写光学系５０の方向へ射出する。クロスダイクロイックプリズ
ム８０から射出された像光は、投写光学系５０の屈折光学部２０等を経て投写される。
【００３４】
次に、筐体２及び防塵カバー４について説明する。筐体２は、内部に投写光学系５０及
び像形成光学部６０を備える。筐体２には、投写光学系５０から投写された投写光を外部
に射出させるための開口部２ａが天面部２ｂに形成されている。
【００３５】
防塵カバー４は、開口部２ａを塞ぐように筐体２に設けられている。防塵カバー４は、
開口部２ａを塞ぐことで、筐体２内部の投写部６を埃や汚れから保護する。また、開口部
２ａを塞ぐことで、筐体２内部への異物の侵入等を防ぎ、投写部６が破壊されたり、傷つ
いたりしてしまうことを防ぐ。防塵カバー４は、透光性の材料で構成されており、例えば
、ガラスやプラスチックが用いられる。防塵カバー４が透光性の材料で構成されているた
め、投写部６から投写された投写光は、防塵カバー４を透過してスクリーン１０に到達す
ることができる。
【００３６】
図５は、防塵カバー４の外観斜視図である。図６は、防塵カバー４の正面図である。図
５，６に示すように、防塵カバー４は、略一定の厚みで形成されている。防塵カバー４は
、中央部４ａと、中央部４ａに隣接された周辺部４ｂとを有している。中央部４ａと周辺
部４ｂは平面により構成されており、周辺部４ｂは、中央部４ａに対して投写光の入射側
に屈曲している。図６に示すように、中央部４ａは、略矩形形状を呈しており、周辺部４
ｂは、中央部４ａの対向する１組の辺に対してのみ隣接されている。これにより、全体が
平面で形成されたガラス板やプラスチック板の両側を折り曲げるだけで防塵カバー４を製
造することができるので、製造コストを抑制することができる。
【００３７】
ここで、防塵カバー４に入射した光の一部は入射面で反射して損失が生じてしまう。防
塵カバー４に入射した光のうち反射される光の割合、すなわち、反射率は投写光の入射角
度によって定まる。ここで、入射角度とは、投写光の入射位置における入射面の法線と、
その投写光の光線とがなす角度をいう。
【００３８】
図７は、防塵カバー４へ適用可能な平面ガラスの所定の一点における投写光の入射角度
と反射率との関係を示した図である。図７に示すように、入射角度が大きくなると反射率
も大きくなる。図６には、周辺部が屈曲しておらず入射面全体が同一の平面で形成された
防塵カバー５が鎖線で示されている。入射面全体が同一の平面で形成された防塵カバー５
は、周辺部５ｂにおいて、入射角度α１が大きくなり、反射率も大きくなる。すなわち、
入射面全体が同一の平面で形成された防塵カバー５は、周辺部５ｂに入射した光の多くが
反射してしまい、その部分を透過した光によって表示される画像部分についての輝度が低
下してしまう。
【００３９】
図８は、入射面全体が同一の平面で形成された防塵カバー５を用いたプロジェクタで画
像を表示させた場合の、スクリーン投写面１０ａに投写される光の防塵カバー５における
反射率を示す図である。一般的に光量が１０％以上低下すると、観察者は輝度の低下を感
じる。図８から明らかなように、入射面全体が同一の平面で形成された防塵カバー５を用
いた場合、スクリーン投写面１０ａの左右下端において、光量が１０％以上低下しており
、この部分について観察者は輝度の低下を感じることとなる。
【００４０】
一方、本実施例１の防塵カバー４は、周辺部４ｂが屈曲しているため、入射角度α２が
あまり大きくならず、反射率も大きくならない。したがって、本実施例１の防塵カバー４
は、周辺部４ｂを透過した光によって表示される画像部分についても、観察者に輝度の低
下を感じさせにくくすることができる。
【００４１】
また、防塵カバー４は、全体が一定の厚みで形成されているので、光学的なパワーがな
い。防塵カバー４に光学的なパワーがないので、防塵カバー４の取付位置に多少の誤差が
あっても画像の画質に影響が少ない。これにより、プロジェクタ１の組み立てコストの低
減を図ることができる。さらに、防塵カバー４の交換も容易になるので、メンテナンス性
を向上させることもできる。
【００４２】
また、防塵カバー４は、中央部４ａ及び周辺部４ｂが平面により構成されているため、
中央部４ａ、周辺部４ｂを曲面で形成する場合に比べて製造コストを抑えることができる
。
【００４３】
なお、本実施例１では、防塵カバー４を屈曲させることで、投写光の反射率を低下させ
ているが、防塵カバー４の入射面に反射防止膜（ＡＲコート）を施して、より一層反射率
を低下させてもよい。
【００４４】
また、防塵カバー４の境界部分で折り曲げられているため、境界部分を透過した光が歪
曲する場合がある。そこで、歪曲補正手段として、各空間光変調装置１４Ｒ、１４Ｇ、１
４Ｂによって、境界部分を透過する光を予め補正させてもよい。
【００４５】
また、本実施例１では、フロント投写方式のプロジェクタとして説明したが、もちろん
リア投写方式のプロジェクタであっても構わない。また、レーザ光をスクリーン上に走査
させて画像表示させるスキャン型のプロジェクタにも適用することができる。例えば、ス
クリーンが巨大であったり、スクリーンの近くから画像を表示させたりする場合には、レ
ーザ光の走査角度が大きくなるが、本実施例１で説明した防塵カバーを用いることで、画
像の輝度低下を抑えることができる。また、本実施例１では、屈曲した防塵カバーをプロ
ジェクタに適用して説明したが、例えば、広角レンズを備えるカメラに用いても、防塵カ
バーへの光の入射角度を小さくすることができ、撮影画像について本実施例１と同様の効
果を得ることができる。広角レンズを備えるカメラとしては、例えば、防犯カメラが挙げ
られる。
【００４６】
図９は、本実施例１の変形例１に係るプロジェクタ１の外観斜視図である。上述した構
成と同様の部分には同一の符号を付し、重複する説明を省略する。図９に示すように、防
塵カバー４を筐体２の側面部２ｃに設けてもよい。
【００４７】
防塵カバー４を筐体２の側面部２ｃに設けることで、近接投写型のプロジェクタに限ら
ず本発明を適用することができる。例えば、スクリーンから離れた位置であってスクリー
ンの正面から投写光を投写するようなプロジェクタであっても、スクリーンの幅が広けれ
ば投写光を広範囲に向けて投写する必要がある。これにより、カバー部への投写光の入射
角度が大きくなる場合があるが、屈曲した防塵カバー４を用いれば、広範囲に向けて投写
された投写光の入射角度を小さくし、反射による損失を抑え、画像の輝度低下を抑えるこ
とができる。なお、側面部２ｃとは、筐体２の天面部２ｂおよび底面部（図示せず。）を
除いた四方の面を合わせたものをいう。
【実施例２】
【００４８】
図１０は、本発明の実施例２に係るプロジェクタ１０１の外観斜視図である。実施例１
と同様の構成部分には同一の符号を付し、重複する説明を省略する。本実施例２に係るプ
ロジェクタ１０１は、防塵カバー１０４の中央部１０４ａにおける投写光の出射面がスク
リーン１０に向くように傾けられていることを特徴とする。また、防塵カバー１０４の周
辺部１０４ｂが中央部１０４ａに対して直角に屈曲していることを特徴とする。
【００４９】
図１１は、プロジェクタ１０１の投写光学系５０が備える反射光学部（広角化反射部）
１３０部分の部分拡大図である。反射光学部１３０は、曲面ミラー１３１を備える。実施
例１で説明した曲面ミラー３１は凹面形状であったが、本実施例２における曲面ミラー１
３１は凸面形状となっている。
【００５０】
曲面ミラー１３１が凸面形状となっているので、曲面ミラー１３１で反射された光は集
光することなく発散する。すなわち、凹面形状の曲面ミラー３１で反射した場合に比べて
、曲面ミラー１３１で反射した光は、曲面ミラー１３１からそれほど離れていない位置で
も広範な範囲に広がる。なお、本実施例２の曲面ミラー１３１を用いる場合には、屈折光
学部２０において光軸ＯＡよりも上側に投写光をシフトさせる必要があるが、そのための
レンズ構成等については説明を省略する。
【００５１】
ここで、図１２にプロジェクタ１０１に用いられる防塵カバー１０４の外観斜視図を示
す。また、図１３に防塵カバー１０４の正面図を示す。防塵カバー１０４は、周辺部１０
４ｂが中央部１０４ａに対して略直角に屈曲している。図１３には、周辺部が屈曲してお
らず入射面全体が同一の平面で形成された防塵カバー１０５が鎖線で示されている。図１
３から明らかなように、周辺部１０４ｂが略直角に屈曲することで、入射面全体が同一の
平面で形成された防塵カバー１０５に比べてコンパクトな構成で、広範な範囲に広げられ
た投写光を透過させることができる。また、周辺部１０４ｂが屈曲しているので、反射に
よる光の損失を抑えて、画像の輝度低下を抑えることができる。
【００５２】
次に、防塵カバー１０４の中央部１０４ａの傾きについて説明する。図１４は、プロジ
ェクタ１０１の内部構成を省略した横断面図である。防塵カバー１０４は、中央部１０４
ａにおける投写光の出射面がスクリーン１０に向くように傾いて筐体２に設けられている
。
【００５３】
上述したように、防塵カバー１０４の周辺部１０４ｂの屈曲によって、ＸＹ平面におけ
る入射角度の幅に対応して画像の輝度低下をふせいでいる。さらに、実施例２では、防塵
カバーが、中央部１０４ａにおける投写光の出射面がスクリーン１０に向くように傾いて
いるので、ＹＺ平面における入射角度の幅にも対応することができる。特に、近接投写型
のプロジェクタは、一般的にスクリーン１０の下方にプロジェクタが設置されるため、筐
体２の天面部２ｂからスクリーンに向けてやや傾いて投写光が射出される。図１４には、
出射面が傾けられていない防塵カバー１０５が鎖線で示されている。図１４に示すように
出射面が傾けられていない防塵カバー１０５への投写光の、ＹＺ平面における入射角度は
γ１からγ２までありばらつきが大きくなる。γ１のように入射角度が大きくなれば、画
像の輝度低下の問題も生じる。本実施例２に係る防塵カバー１０４は、投写光の出射面が
スクリーン１０に向くように傾けられているので、この傾きによって、入射角度の増大を
解消することができる。すなわち、防塵カバー１０４を傾けるという簡単な構成で画像の
輝度低下を抑えることができる。なお、曲面ミラーの形状が凹面であっても、防塵カバー
の傾けることで、ＹＺ平面における入射角度の増大を解消することができる。
【００５４】
図１５は、本実施例２の変形例１に係るプロジェクタ１０１の外観斜視図である。上述
した構成と同様の部分には同一の符号を付し、重複する説明を省略する。本変形例１に係
るプロジェクタ１０１では、防塵カバー１０４の中央部１０４ａが筐体２の天面部２ｂと
略平行とされ、中央部１０４ａと天面部２ｂとがフラットな構造となっている。また、防
塵カバー１０４の周辺部１０４ｂが筐体２の側面部２ｃと略平行とされ、周辺部１０４ｂ
と側面部２ｃとがフラットな構造となっている。
【００５５】
このように、中央部１０４ａ、周辺部１０４ｂが、筐体２の外周面である天面部２ｂと
側面部２ｃと略平行であるので、例えば、ドーム型の防塵カバーを設ける場合に比べて、
プロジェクタのデザインの制限をなくし、デザインの自由度を高めることができる。また
、中央部１０４ａと筐体２の外周面とがフラットな構造となっているので、プロジェクタ
１０１のデザインが斬新になるばかりでなく、筐体２と防塵カバー１０４との一体成形も
可能となる。筐体２と防塵カバー１０４との一体成形すれば、組み立て工数の削減、部品
点数の削減によりコスト抑制に寄与することができる。筐体２と防塵カバー１０４とを一
体成形する場合には、全体を透明部材で構成し、防塵カバー１０４以外に塗装を施せば、
防塵カバーだけに透光性を持たせることができる。
【００５６】
図１６は、本実施例２の変形例２に係るプロジェクタ１０１の外観斜視図である。上述
した構成と同様の部分には同一の符号を付し、重複する説明を省略する。本変形例１に係
るプロジェクタ１０１では、防塵カバー１０４の中央部１０４ａが筐体２の側面部２ｃと
略平行とされ、中央部１０４ａと側面部２ｃとがフラットな構造となっている。また、防
塵カバー１０４の周辺部１０４ｂも筐体２の側面部２ｃと略平行とされ、周辺部１０４ｂ
と側面部２ｃとがフラットな構造となっている。
【００５７】
防塵カバー１０４を筐体２の側面部２ｃに設けることで、近接投写型のプロジェクタに
限らず本発明を適用することができる。例えば、スクリーンから離れた位置であってスク
リーンの正面から投写光を投写するようなプロジェクタであっても、スクリーンの幅が広
ければ投写光を広角化する必要がある。
【００５８】
そして、投写光の広角化に凸面形状の曲面ミラー１３１を用いた場合には、曲面ミラー
１３１で反射した光は、曲面ミラー１３１からそれほど離れていない位置でも広範な範囲
に広がる。このような場合であっても、屈曲した防塵カバー１０４を用いれば、広角化さ
れた投写光の反射による損失を抑え、画像の輝度低下を抑えることができる。なお、投写
光の広角化の手法は、凸面形状の曲面ミラー１３１を用いる場合に限られない。例えば、
シフト光学系により投写光を広角化させる場合にも、投写光が広範な範囲に広がる場合が
ある。この場合にも、屈曲した防塵カバー１０４を用いれば、投写光の反射による損失を
抑え、画像の輝度低下を抑えることができる。
【００５９】
また、中央部１０４ａ、周辺部１０４ｂが、筐体２の外周面である側面部２ｃと略平行
であるので、例えば、ドーム型の防塵カバーを設ける場合に比べて、プロジェクタのデザ
インの制限をなくし、デザインの自由度を高めることができる。また、中央部１０４ａと
筐体２の外周面とがフラットな構造となっているので、プロジェクタ１０１のデザインが
斬新になるばかりでなく、筐体２と防塵カバー１０４との一体成形も可能となる。筐体２
と防塵カバー１０４との一体成形すれば、組み立て工数の削減、部品点数の削減によりコ
スト低下に寄与することができる。筐体２と防塵カバー１０４とを一体成形する場合には
、全体を透明部材で構成し、防塵カバー１０４以外に塗装を施せば、防塵カバー１０４だ
けに透光性を持たせることができる。
【図面の簡単な説明】
【００６０】
【図１】本発明の実施例１に係るプロジェクタの使用状態を示す斜視図。
【図２】プロジェクタ内部の概略構成を示す横断面図。
【図３】投写光学系の概略構成を説明する図。
【図４】像形成光学部の概略構成を示す図。
【図５】防塵カバーの外観斜視図。
【図６】防塵カバーの正面図。
【図７】防塵カバーへの投写光の入射角度と反射率との関係を示した図。
【図８】入射面全体が同一の平面で形成された防塵カバーを用いて画像を表示させた場合の、スクリーン投写面に投写される光の防塵カバーにおける反射率を示す図。
【図９】実施例１の変形例１に係るプロジェクタの外観斜視図。
【図１０】本発明の実施例２に係るプロジェクタの外観斜視図。
【図１１】プロジェクタの投写光学系が備える反射光学部部分の部分拡大図。
【図１２】防塵カバーの外観斜視図。
【図１３】防塵カバーの正面図。
【図１４】プロジェクタの内部構成を省略した横断面図。
【図１５】実施例２の変形例１に係るプロジェクタの外観斜視図。
【図１６】実施例２の変形例２に係るプロジェクタの外観斜視図。
【符号の説明】
【００６１】
１，１０１  プロジェクタ、  ２  筐体、  ２ａ  開口部、  ２ｂ  天面部（外周面）
、  ２ｃ  側面部（外周面）、  ４，１０４  防塵カバー（カバー部）、  ４ａ，１０４
ａ  中央部、  ４ｂ，１０４ｂ  周辺部、  ５  防塵カバー、  ５ｂ  周辺部、  ６  投
写部、  １０  スクリーン、  １０ａ  スクリーン投写面（被照射面）、  １４Ｒ  Ｒ光
用空間光変調装置、  １４Ｇ  Ｇ光用空間光変調装置、  １４Ｂ  Ｂ光用空間光変調装置
、  ２０  屈折光学部、  ３０  反射光学部（広角化反射部）、  ３１，１３１  曲面ミ
ラー、  ５０  投写光学系、  ６０  像形成光学部、  ７１  第１インテグレータレンズ
、  ７２  第２インテグレータレンズ、  ７３  偏光変換素子、  ７４  重畳レンズ、  
７５  第１ダイクロイックミラー、  ７６  反射ミラー、  ７７Ｒ  Ｒ光用フィールドレ
ンズ、  ７７Ｇ  Ｇ光用フィールドレンズ、  ７７Ｂ  Ｂ光用フィールドレンズ、  ８０
クロスダイクロイックプリズム、  ８１  第２ダイクロイックミラー、  ８２  リレー
レンズ、  ８３  反射ミラー、  ８４  リレーレンズ、  ８５  反射ミラー、  ８６  第
１ダイクロイック膜、  ８７  第２ダイクロイック膜
【図１】
2010152264.tif 000003
【図２】
2010152264.tif 000004
【図３】
2010152264.tif 000005
【図４】
2010152264.tif 000006
【図５】
2010152264.tif 000007
【図６】
2010152264.tif 000008
【図７】
2010152264.tif 000009
【図８】
2010152264.tif 000010
【図９】
2010152264.tif 000011
【図１０】
2010152264.tif 000012
【図１１】
2010152264.tif 000013
【図１２】
2010152264.tif 000014
【図１３】
2010152264.tif 000015
【図１４】
2010152264.tif 000016
【図１５】
2010152264.tif 000017
【図１６】
2010152264.tif 000018